(57)【要約】  表示画面からのユーザの指の距離に基づいてズームが制御される３次元表示装置は、表示画面に対するユーザの指の検出されたＸ／Ｙ位置においてユーザの指の仮想的な落とし影を生成する。仮想的な落とし影は、表示画像のズームの中心を表す。加えて、落とし影のサイズ及び暗さが、表示画面からのユーザの指の距離に相関して変更される。
2008505379.tif 000002
【特許請求の範囲】
【請求項１】
３次元表示装置であって、前記表示装置に表示されている画像を選択的にズームすることが可能である３次元表示装置において、前記３次元表示装置は、
前記表示装置の表示画面からのユーザの指の距離を検出し、前記距離が第１の所定の閾値距離内である場合に検出信号を生成する検出手段と、
前記表示画面に対する前記ユーザの指の位置を決定する手段と、
前記検出信号に応じて、前記決定された位置において前記表示画面上に仮想的な落とし影を表示する手段と、を有し、前記仮想的な落とし影は、前記ユーザの指が前記第１の所定の閾値距離にある場合に所定の初期パラメータを持ち、前記３次元表示装置は更に、
前記検出信号に応じて前記画像のズームを開始する手段を有し、前記ズームは前記決定された位置においてセンタリングされ、前記ズームの量は、前記検出された距離に逆相関し、前記３次元表示装置は更に、
前記検出された距離に相関して前記仮想的な落とし影の前記所定の初期パラメータの少なくとも１つを変更する手段を有する３次元表示装置。
【請求項２】
前記検出手段は、前記ユーザの指が第２の所定の閾値距離を通過したときに前記検出信号を生成することを停止し、前記第２の所定の閾値距離は、前記第１の所定の閾値距離よりも前記表示画面に近い、請求項１に記載の３次元表示装置。
【請求項３】
前記所定の初期パラメータはサイズ、色、暗さ及びテクスチャを含む、請求項１に記載の３次元表示装置。
【請求項４】
前記変更する手段は、前記検出された距離に相関して前記仮想的な落とし影のサイズを減少させる、請求項３に記載の３次元表示装置。
【請求項５】
前記変更する手段は、前記検出された距離に相関して前記仮想的な落とし影の暗さを変化させる、請求項３に記載の３次元表示装置。
【請求項６】
前記変更する手段は、前記検出された距離に相関して前記仮想的な落とし影の色を変更する、請求項３に記載の３次元表示装置。
【請求項７】
表示装置に表示されている画像を選択的にズームする方法であって、前記方法は、
前記表示装置の表示画面からのユーザの指の距離を検出し、前記距離が第１の所定の閾値距離内である場合に検出信号を生成する検出ステップと、
前記表示画面に対する前記ユーザの指の位置を決定するステップと、
前記検出信号に応じて、前記決定された位置において前記表示画面上に仮想的な落とし影を表示するステップと、を有し、前記仮想的な落とし影は、前記ユーザの指が前記第１の所定の閾値距離にある場合に所定の初期パラメータを持ち、前記方法は更に、
前記検出信号に応じて前記画像のズームを開始するステップを有し、前記ズームは前記決定された位置においてセンタリングされ、前記ズームの量は、前記検出された距離に逆相関し、前記方法は更に、
前記検出された距離に相関して前記仮想的な落とし影の前記所定の初期パラメータの少なくとも１つを変更するステップを有する方法。
【請求項８】
前記検出ステップにおいて、前記ユーザの指が第２の所定の閾値距離を通過したときに前記検出信号の生成が停止され、前記第２の所定の閾値距離は、前記第１の所定の閾値距離よりも前記表示画面に近い、請求項７に記載の方法。
【請求項９】
前記所定の初期パラメータはサイズ、色、暗さ及びテクスチャを含む、請求項７に記載の方法。
【請求項１０】
前記変更するステップは、前記検出された距離に相関して前記仮想的な落とし影のサイズを減少させる、請求項９に記載の方法。
【請求項１１】
前記変更するステップは、前記検出された距離に相関して前記仮想的な落とし影の暗さを変化させる、請求項９に記載の方法。
【請求項１２】
前記変更するステップは、前記検出された距離に相関して前記仮想的な落とし影の色を変更する、請求項９に記載の方法。
【発明の詳細な説明】
【技術分野】
【０００１】
本発明は表示装置に関し、更に詳細には、３次元（３−Ｄ）タッチ型インタラクティブ表示装置に表示されている画像のズームに関する。
【背景技術】
【０００２】
例えば静電容量検知を利用して、画面に対してユーザの指がどこにあるかをＸ、Ｙ及びＺ座標で測定することが可能な３次元（３−Ｄ）仮想タッチスクリーンディスプレイ装置が知られている。これらのタイプのディスプレイ装置については、Ｘ及びＹ座標の意味は、表示画面に対するユーザの指の水平及び垂直位置として直感的に知られている。しかしながら、Ｚ座標については意味が与えられる必要がある。しばしば、当該意味は、表示装置の画面上に表示されている画像のズーム倍率である。
【発明の開示】
【発明が解決しようとする課題】
【０００３】
表示されているものをズームインする場合に、表示されている画像の一部が、画面から「脱落（drop off）」して、表示されている画像の残りの部分のサイズを増大させる余地を生成する。ユーザの指が表示画面からかなりの距離にあるときには、該ユーザが最後にどこに帰着するのか、即ち元の画像のどの部分がズームにより拡大されるのかをユーザが予測することは困難である。Ｘ及び／又はＹ方向における小さな変化も、画像のどの部分が拡大されるか、従ってどの部分がその結果として表示されなくなるかにおいてかなりの相違をもたらす。
【０００４】
Ｘ及び／又はＹ方向の変化の影響を低減することは、最大のズーム倍率が減少される必要があり画像の所望の部分の不十分な拡大に帰着するか、又は元の画像の所望の拡大された部分に到達するためにユーザがパンや上下左右にスクロールすることに頼る必要があることを意味する。これらの帰結は共に、ズームを制御するために、即ちパンやスクロールに頼る必要なくディスプレイに合致するために、Ｚ座標を利用することによって追求される効果に対して、まさに逆効果である。
【０００５】
本発明の目的は、表示されている画像のどの部分がズームインされるかについてのフィードバック及びズーム倍率の表示をユーザに提供することにある。
【課題を解決するための手段】
【０００６】
本目的は、３次元表示装置であって、前記表示装置に表示されている画像を選択的にズームすることが可能である３次元表示装置において、前記３次元表示装置は、前記表示装置の表示画面からのユーザの指の距離を検出し、前記距離が所定の閾値距離内である場合に検出信号を生成する検出手段と、前記表示画面に対する前記ユーザの指の位置を決定する手段と、前記検出信号に応じて、前記決定された位置において前記表示画面上に仮想的な影を表示する手段と、を有し、前記仮想的な影は、前記ユーザの指が前記所定の閾値距離にある場合に所定の初期サイズを持ち、前記３次元表示装置は更に、前記検出信号に応じて前記画像のズームを開始する手段を有し、前記ズームは前記決定された位置においてセンタリングされ、前記ズームの量は、前記検出された距離に逆相関し、前記３次元表示装置は更に、前記検出された距離に相関して前記仮想的な影の前記所定の初期サイズを減少させる手段を有する３次元表示装置において達成される。
【０００７】
本目的は更に、表示装置に表示されている画像を選択的にズームする方法であって、前記方法は、前記表示装置の表示画面からのユーザの指の距離を検出し、前記距離が第１の所定の閾値距離内である場合に検出信号を生成する検出ステップと、前記表示画面に対する前記ユーザの指の位置を決定するステップと、前記検出信号に応じて、前記決定された位置において前記表示画面上に仮想的な落とし影を表示するステップと、を有し、前記仮想的な落とし影は、前記ユーザの指が前記第１の所定の閾値距離にある場合に所定の初期サイズを持ち、前記方法は更に、前記検出信号に応じて前記画像のズームを開始するステップを有し、前記ズームは前記決定された位置においてセンタリングされ、前記ズームの量は、前記検出された距離に逆相関し、前記方法は更に、前記検出された距離に相関して前記仮想的な影の前記所定の初期サイズを減少させるステップを有する方法において達成される。
【０００８】
本発明による表示装置及び方法においては、ユーザの指の落とし影が表示画面上に描画される。表示画面上の前記落とし影の位置が、表示されている画像のどの部分が拡大されるかを示し、前記落とし影のサイズ及び／又は暗さが、表示画面に対するユーザの指の距離を示し、当該距離が、ユーザにとって依然として利用可能であるズームの度合いに対応する。
【０００９】
ズームの中心の位置に加えて、依然として利用可能であるズームの度合いを示すことにより、ユーザがそのままズームを継続した場合に、表示されている画像のどの部分が画面から脱落するかを示す改善されたフィードフォワードをユーザが得る。ユーザはこのとき、画面に向かって依然として進むことができる距離を考慮すると目標エリアが画面から脱落する程ズームの中心が目標からずれているか否かを、より容易に知ることができ、これによりユーザを表示画面に向かう該ユーザの指の軌道の早い段階での適合へと促す。
【００１０】
当該フィードフォワード手法を利用すると、ユーザは、表示画面への接近の早い段階でどのように軌道を適合すべきかを迅速に知ることができ、かくして、完全にズームされたときに目標エリアを表示させる再行の数を最少化する。
【００１１】
以下、意図される上述の及び更なる目的及び利点が示されつつ、本発明が添付図面を参照しながら説明されるであろう。
【発明を実施するための最良の形態】
【００１２】
本発明は、３次元（３−Ｄ）ディスプレイ、即ち、ディスプレイの表面に対するポインタ、スタイラス又はユーザの指の水平及び垂直位置と共に、前記ディスプレイの表面からのポインタ、スタイラス又はユーザの指の距離を検出することが可能なディスプレイを利用する。例えば赤外線検知、静電容量検知等を利用する、種々の既知のタイプの３−Ｄディスプレイがある。３−Ｄディスプレイの１つのタイプは、米国特許出願公開ＵＳ２００２／００００９７７Ａ１に開示されており、参照によって本明細書に組み込まれたものとする。
【００１３】
図１Ａに示されるように、表示画面１０は、導電性の透明な導線のグリッドを重畳され、水平の導線１２は、垂直な導線１４と電気的に絶縁される。接続ブロック１８．１及び１８．２に接続された電圧源１６は、水平及び垂直の導線１２及び１４の両端に電位差を印加する。この構成は、図１Ｂに示されるような、ディスプレイ１０の表面から離れて延在する検出場２０を生じる。ここで、水平及び垂直の導線１２及び１４は、キャパシタのプレートとして働く。
【００１４】
例えば、ユーザの指が検出場２０に進入すると、導線１２と１４との間のキャパシタンスが影響を受け、垂直の導線１４に接続されたＸ軸検出器２２及び水平の導線１２に接続されたＹ軸検出器２４により検出される。検出器信号プロセッサ２６は、Ｘ及びＹ検出器２２及び２４からの出力信号を受信し、Ｘ及びＹ座標信号及びＺ距離信号を生成する。前記Ｘ及びＹ座標信号及びＺ距離信号は、カーソル及びズームコントローラ２８に供給され、カーソル及びズームコントローラ２８は次いで制御信号を画面上表示（ＯＳＤ）コントローラ３０に供給する。
【００１５】
加えて、図１Ａに示されるように、画像信号源３２は、画像信号プロセッサ３４に画像信号を供給する。画像信号プロセッサ３４は、カーソル及びズームコントローラ２８からのズーム制御信号をも受信する。ビデオスイッチ３６は、ＯＳＤコントローラ３０及び画像信号プロセッサ３４から出力信号を受信し、表示コントローラ３８に合成出力信号を供給する。表示コントローラ３８は次いで、表示画面１０にビデオ信号を供給する。
【００１６】
図２に示されるように、カーソル及びズームコントローラ２８は、表示画面１０の表面からＺ方向（両方向矢印４０）に延在する領域Ａを確立する。領域Ａは、ユーザの指４２が閾値距離４４を通過したときに、ユーザの指４２が検出され、第１の実施例においては、カーソル及びズームコントローラ２８が、図３Ａに示されるように、ユーザの指の仮想的な落とし影４６を表示する領域を示す。仮想的な落とし影４６は、サイズ、色、暗さ及びテクスチャを含む、所定の初期パラメータを持つ。ユーザの指４２をＸ及び／又はＹ方向に動かすことにより、ユーザはズームのため画像の中心を形成する表示された画像の適切な位置に仮想的な落とし影４６を移動させることができる。次いで、ユーザが該ユーザの指４２を表示画面１０により近づくように移動させると、仮想的な落とし影４６が、例えば最大ズームに達し仮想的な落とし影４６がユーザの指４２と略同一のサイズとなるまで、サイズを減少させる。このことは、図３Ａ乃至３Ｃに示される。ここでは、ユーザの指４２は、表示画面１０に近づくにつれて次第に大きく示され、仮想的な落とし影４６は対応して小さく示されている。代替として、仮想的な落とし影４６のサイズを変更する代わりに、又はこれに加えて、カーソル及びズームコントローラ２８が、仮想的な落とし影４６の色、暗さ又はテクスチャを変更しても良い。
【００１７】
代替実施例においては、図２に示されるように、カーソル及びズームコントローラ２８は、表示画面１０に近い距離において第２の閾値距離４８を確立する。ユーザの指４２が該閾値を通過すると、ズームが終了され、仮想的な落とし影４６が表示画面１０から除去される。
【００１８】
本発明は特定の実施例を参照しながら説明されたが、添付された請求項に記載された本発明の精神及び範囲から逸脱することなく、多くの変更が為され得ることは認識されるであろう。本明細書及び図面は従って例示的なものであり、添付される請求の範囲を制限することを意図したものではない。
【００１９】
添付される請求項の解釈において、以下のことが理解されるべきである。
ａ）「有する（comprising）」なる語は、請求項に列記されたもの以外の要素又は処理の存在を除外するものではない。
ｂ）要素に先行する「１つの（a又はan）」なる語は、複数の斯かる要素の存在を除外するものではない。
ｃ）請求項におけるいずれの参照記号も当該請求項の範囲を限定するものではない。
ｄ）幾つかの「手段（means）」は、同一のハードウェアのアイテム又はソフトウェアを実装された構造若しくは機能により表され得る。
ｅ）いずれの開示される要素も、ハードウェア部分（例えば別個の及び組み込まれた電子回路を含む）、ソフトウェア部分（例えばコンピュータプログラム）及びこれらのいずれかの組み合わせを有しても良い。
ｆ）ハードウェア部分は、アナログ部分及びディジタル部分の一方又は両方を有しても良い。
ｇ）いずれの開示される要素又はその部分も、明示的に記されていない限り、組み合わせられても良く又は更なる部分に分離されても良い。
ｈ）明示的に示されていない限り、特定の処理のシーケンスが必要とされることは意図されない。
【図面の簡単な説明】
【００２０】
【図１（Ａ）】静電センサアレイが内蔵された表示装置のブロック図である。
【図１（Ｂ）】図１（Ａ）のセンサアレイの検出線を示す図である。
【図２】表示画面の表面から延在する検出領域を示す図である。
【図３（Ａ）】表示画面からの種々の距離の１つにおけるユーザの指に対応する表示画面に形成される可変サイズの仮想的な影を示す。
【図３（Ｂ）】表示画面からの種々の距離の１つにおけるユーザの指に対応する表示画面に形成される可変サイズの仮想的な影を示す。
【図３（Ｃ）】表示画面からの種々の距離の１つにおけるユーザの指に対応する表示画面に形成される可変サイズの仮想的な影を示す。
【図１Ａ】
2008505379.tif 000003
【図１Ｂ】
2008505379.tif 000004
【図２】
2008505379.tif 000005
【図３Ａ】
2008505379.tif 000006
【図３Ｂ】
2008505379.tif 000007
【図３Ｃ】
2008505379.tif 000008
【国際調査報告】
2008505379.tif 000009
2008505379.tif 000010
2008505379.tif 000011